(57)【要約】      （修正有）【課題】施錠時に、ユーザーが施錠したかどうかを確認できるお知らせ効果を実現できる施錠確認装置を提供する。【解決手段】結合部２３と、軸接部２１と、第１の溝２２とが設けられる施錠確認部２と、第１の軸接部３１が設けられ、一方に鋸歯部３２が設けられ、第１の溝２２内に設けられる第１のお知らせ装置３と、を備え、さらに、軸接部２１と軸接されるための連接棒が増設され、連接棒にはさらに第１の軸接孔４１が設けられ、第１の軸接孔４１は楕円形とすることができ、第１の軸接孔４１は第１の軸接部３１と軸接されるためのものであり、連接棒４が増設されることにより施錠する際に動力がより軽減される。【選択図】図２
0003226727.tif 000002
【実用新案登録請求の範囲】
【請求項１】
結合部と、第１の溝とが設けられる施錠確認部と、
第１の溝内に設けられ、さらに一方に鋸歯部が設けられる第１のお知らせ装置と、
前記第１のお知らせ装置の鋸歯部と噛合される同心歯車が設けられる歯車と、を備える施錠確認装置。
【請求項２】
前記結合部は収容空間である、請求項１に記載の施錠確認装置。
【請求項３】
前記結合部は粘着性を有する粘着部材である、請求項１に記載の施錠確認装置。
【請求項４】
前記施錠確認装置に軸接部が設けられる、請求項１に記載の施錠確認装置。
【請求項５】
前記第１のお知らせ装置に第１の軸接部が設けられる、請求項１に記載の施錠確認装置。
【請求項６】
前記軸接部に連接棒が設けられる、請求項４に記載の施錠確認装置。
【請求項７】
前記連接棒に第１の軸接孔が設けられ、前記第１の軸接孔は前記第１の軸接部と軸接されるものである、請求項５に記載の施錠確認装置。
【請求項８】
前記第１の軸接孔は楕円形である、請求項７に記載の施錠確認装置。
【請求項９】
結合部と、軸接部と、第１の溝と、第２の溝とが設けられる施錠確認部と、
第１の溝内に設けられ、第１の軸接部が設けられ、一方に鋸歯部が設けられる第１のお知らせ装置と、
第２の溝内に設けられ、第２の軸接部が設けられる第２のお知らせ装置と、
軸接部と軸接され、さらに第１の軸接孔と、第２の軸接孔とが設けられる連接棒と、
前記第１のお知らせ装置の鋸歯部と噛合される同心歯車が設けられる歯車と、を備える施錠確認装置。
【請求項１０】
前記結合部は収容空間である、請求項９に記載の施錠確認装置。
【請求項１１】
前記結合部は粘着性を有する粘着部材である、請求項９に記載の施錠確認装置。
【請求項１２】
前記第１の軸接孔は楕円形である、請求項９に記載の施錠確認装置。
【請求項１３】
前記第２のお知らせ装置は筒体と、バネと、凸リブとを備える、請求項９に記載の施錠確認装置。
【請求項１４】
前記筒体に係止縁が設けられる、請求項１３に記載の施錠確認装置。
【請求項１５】
前記凸リブにフランジが設けられる、請求項１３に記載の施錠確認装置。
【考案の詳細な説明】
【技術分野】
【０００１】
本考案は、鍵用の施錠確認装置に関する。
【背景技術】
【０００２】
従来の一般的な錠前用の鍵１２は、図５に示されるように、主に鍵１２に鍵把持部１３が設けられ、前記鍵１２は鍵把持部１３を把持して、鍵１２をドアパネルＡ上のシリンダー１の鍵穴１１に挿入することにより、施錠又は解錠の機能を実現する。
【０００３】
前記一般的な鍵１２は、施錠及び解錠の機能を実現できる。しかし、現代人の生活は忙しく、往々にして同時に他のこともしながら施錠するため、出かけた後に自分が施錠したかどうかを忘れ、そのため再び元の場所に戻って施錠したかどうかを再確認しなければならないことがあり、使用上、不便さを生じることがある。
【０００４】
このような問題をどう解消するかということが、即ち本考案の考案者が解決しようとする技術課題である。
【考案の概要】
【０００５】
従来の鍵の上記問題に鑑み、本考案は施錠確認装置を提供することを目的とする。
【０００６】
上記の目的を実現するために、本考案は以下のような施錠確認装置を提供する。
【０００７】
結合部と、第１の溝とが設けられる施錠確認部と、
【０００８】
一方に鋸歯部が設けられ、第１の溝内に設けられる第１のお知らせ装置と、
【０００９】
前記第１のお知らせ装置の鋸歯部と噛合される同心歯車が設けられる歯車と、を備える施錠確認装置である。
【００１０】
前記施錠確認装置の結合部は、前記鍵の鍵把持部が嵌入できる収容空間とすることができ、前記施錠確認装置の結合部はまた、鍵把持部と前記施錠確認部を結合できる粘着性を有する粘着部材とすることもでき、前記施錠確認部と前記鍵の結合後、鍵が錠前面に挿入された直後、前記第１のお知らせ装置は錠前面に当接し、前記鍵の全てがドアパネルの錠前面に挿入された後、前記第１のお知らせ装置は前記施錠確認部の前記第１の溝内にスライド進入可能となり、施錠完了後、前記鍵を抜き出すと、このときに、前記第１のお知らせ装置はまだ第１の溝内に維持されており、前記第１のお知らせ装置が突出していないことにより、ユーザーに施錠完了を知らせることができ、前記同心歯車と第１のお知らせ装置の鋸歯部が噛み合うことにより、前記歯車とその同心歯車が連動して第１のお知らせ装置を開始位置に復帰させことができ、これによりユーザーは帰宅した際に再び復帰させて使用できるようになる。
【００１１】
本考案はさらに結合部と、軸接部と、第１の溝とが設けられる施錠確認部と、
【００１２】
第１の軸接部が設けられ、一方に鋸歯部が設けられ、第１の溝内に設けられる第１のお知らせ装置と、を備えることができ、
【００１３】
さらに、軸接部と軸接されるための連接棒が増設され、前記連接棒にはさらに第１の軸接孔が設けられ、前記第１の軸接孔は楕円形とすることができ、前記第１の軸接孔は第１の軸接部と軸接されるためのものであり、前記連接棒が増設されることにより本考案を用いて施錠する際に動力がより軽減される效果を実現する。
【００１４】
本考案の別の実施例である、以下のような施錠確認装置を提供する。
【００１５】
結合部と、軸接部と、第１の溝と、第２の溝とが設けられる施錠確認部と、
【００１６】
第１の軸接部が設けられ、一方に鋸歯部が設けられ、第１の溝内に設けられる第１のお知らせ装置と、
【００１７】
第２の軸接部が設けられ、第２の溝内に設けられる第２のお知らせ装置であって、前記第２のお知らせ装置は筒体と、バネと、凸リブとを備え、前記筒体には係止縁が設けられ、前記筒体内にさらにバネが設けられ、前記凸リブは前記筒体内の前記バネに設けられ、かつ前記凸リブに前記筒体の係止縁と係止可能なフランジが外設されることにより、前記凸リブがバネに弾かれて前記筒体から外れることを防止できる第２のお知らせ装置と、
【００１８】
軸接部と軸接されるための連接棒であって、前記連接棒にはさらに第１の軸接孔と、第２の軸接孔とが設けられ、前記第１の軸接孔、第２の軸接孔は楕円形であり、前記第１の軸接孔は第１の軸接部と軸接されるためのものであり、前記第２の軸接孔は第２の軸接部と軸接されるためのものである連接棒と、
【００１９】
前記第１のお知らせ装置の鋸歯部と噛合される同心歯車が設けられる歯車と、を備える施錠確認装置であって、
【００２０】
前記施錠確認装置の結合部は、前記鍵把持部が嵌入できる収容空間とすることができ、前記施錠確認装置の結合部はまた、鍵把持部と前記施錠確認装置を結合できる粘着性を有する粘着部材とすることもでき、前記施錠確認部と前記鍵の結合後、鍵が錠前面に挿入された直後、前記第１のお知らせ装置は錠前面に当接し、前記鍵の全てが錠前面に挿入された後、前記第１のお知らせ装置は前記施錠確認部の前記第１の溝内にスライド進入可能となり、かつ前記連接棒が前記第２のお知らせ装置を錠前面に貼り付かせるため、前記第２のお知らせ装置の凸リブがバネを内側に圧縮して前記筒体内に収縮進入させ、施錠完了後、前記鍵を抜き出すと、このときに、前記第１のお知らせ装置はまだ第１の溝内に維持されており、前記の元々錠前面に貼り付いて前記凸リブが圧縮していたバネも復活して外へ弾き出て、前記凸リブを前記第２のお知らせ装置の筒体外に押し出し、前記第２のお知らせ装置の凸リブが突出することにより、ユーザーに施錠完了を知らせることができ、前記歯車を回転させると、前記同心歯車と第１のお知らせ装置の鋸歯部が噛み合うとともに、第１のお知らせ装置、連接棒が第２のお知らせ装置と連動するため、第１のお知らせ装置、第２のお知らせ装置が開始位置に復帰することができ、これによりユーザーは帰宅した際に再び復帰させて使用できるようになる。
【図面の簡単な説明】
【００２１】
【図１】本考案と鍵の平面分解概略図である。
【図２】本考案の増設された連接棒と鍵の平面分解概略図である。
【図２Ａ】本考案の別の組合せ概略図である。
【図３】本考案の使用前概略図である。
【図３Ａ】本考案の使用中概略図である。
【図３Ｂ】本考案の使用後概略図である。
【図３Ｃ】本考案の復帰動作概略図である。
【図４】本考案の別の実施例と鍵の平面分解概略図である。
【図４Ａ】本考案の別の実施例の使用前概略図である。
【図４Ｂ】本考案の別の実施例の使用中概略図である。
【図４Ｃ】本考案の第２のお知らせ装置のバネ圧縮概略図である。
【図４Ｄ】本考案の別の実施例の使用後概略図である。
【図４Ｅ】本考案の第２のお知らせ装置のバネ開放概略図である。
【図４Ｆ】本考案の別の実施例の復帰動作概略図である。
【図５】通常の鍵使用概略図である。
【考案を実施するための形態】
【００２２】
本考案の他の特徴と長所及びそれにより実現される効果がより突出していることをより簡単に理解できるよう、以下に図面と合わせて本考案を詳細に説明する。
【００２３】
図１に示されるように、前記施錠確認装置は、
【００２４】
結合部２３と、第１の溝２２とが設けられる施錠確認部２と、
【００２５】
一方に鋸歯部３２が設けられ、第１の溝２２内に設けられる第１のお知らせ装置３と、
【００２６】
前記第１のお知らせ装置３の鋸歯部３２と噛合される同心歯車５１が設けられる歯車５と、を備える施錠確認装置であって、
【００２７】
前記施錠確認部２の結合部２３は、前記鍵１２の鍵把持部１３が嵌入できる収容空間とすることができる。
図２Ａに示されるように、前記施錠確認部２の結合部２３はまた、鍵把持部１３と前記施錠確認部２を結合できる粘着性を有する粘着部材２３１を設けることもできる。図３に示されるように、前記施錠確認装置２と前記鍵１２の結合後、鍵１２が錠前面７に挿入された直後、前記第１のお知らせ装置３は錠前面７に当接可能となる。続いて図３Ａに示されるように、前記鍵１２の全てがドアパネルＡの錠前面７に挿入された後、前記第１のお知らせ装置３は前記施錠確認部２の前記第１の溝２２内にスライド進入可能となる。
続いて図３Ｂに示されるように、施錠完了後、前記施錠確認部２及び鍵１２を抜き出すと、このときに、前記第１のお知らせ装置３はまだ第１の溝２２内に維持されており、前記第１のお知らせ装置３が突出していないことにより、ユーザーに施錠完了を知らせることができる。
図３Ｃに示されるように、前記同心歯車５１と第１のお知らせ装置３の鋸歯部３２が噛み合うことにより、前記歯車５とその同心歯車５１が連動して第１のお知らせ装置３を開始位置に復帰させることができ、図３に示されるように、ユーザーは帰宅した際に再び復帰させて使用できるようになる。
【００２８】
図２に示されるように、本考案はさらに結合部２３と、軸接部２１と、第１の溝２２とが設けられる施錠確認部２と、
【００２９】
第１の軸接部３１が設けられ、一方に鋸歯部３２が設けられ、第１の溝２２内に設けられる第１のお知らせ装置３と、を備え、
【００３０】
さらに、軸接部２１と軸接されるための連接棒が増設され、前記連接棒にはさらに第１の軸接孔４１が設けられ、前記第１の軸接孔４１は楕円形とすることができ、前記第１の軸接孔４１は第１の軸接部３１と軸接されるためのものであり、前記連接棒４が増設されることにより本考案を用いて施錠する際に動力がより軽減される効果を実現できる。
【００３１】
本考案の別の実施例は、図４、図４Ｃに示されるように、以下のような施錠確認装置を提供する。
【００３２】
結合部２３と、軸接部２１と、第１の溝２２と、第２の溝２４とが設けられる施錠確認部２と、
【００３３】
第１の軸接部３１が設けられ、一方に鋸歯部３２が設けられ、第１の溝２２内に設けられる第１のお知らせ装置３と、
【００３４】
第２の軸接部６３が設けられ、第２の溝２４内に設けられる第２のお知らせ装置６であって、第２のお知らせ装置６は筒体６１と、バネ６４と、凸リブ６２とを備え、前記筒体６１には係止縁６５が設けられ、前記筒体６１内にさらにバネ６４が設けられ、前記凸リブ６２は前記筒体６１内の前記バネ６４に設けられ、かつ前記凸リブ６２に前記筒体６１の係止縁６５と係止可能なフランジ６６が外設されることにより、前記凸リブ６２がバネに弾かれて前記筒体６１から外れることを防止できる第２のお知らせ装置６と、
【００３５】
軸接部２１と軸接されるための連接棒であって、前記連接棒にはさらに第１の軸接孔４１と、第２の軸接孔４２とが設けられ、前記第１の軸接孔４１、第２の軸接孔４２は楕円形であり、前記第１の軸接孔４１は第１の軸接部３１と軸接されるためのものであり、前記第２の軸接孔４２は第２の軸接部６３と軸接されるためのものである連接棒４と、
【００３６】
前記第１のお知らせ装置３の鋸歯部３２と噛合される同心歯車５１が設けられる歯車５と、を備える施錠確認装置であって、
【００３７】
前記施錠確認部２の結合部２３は、前記鍵把持部１３が嵌入できる収容空間とすることができ、図４に示されるように、前記施錠確認部２の結合部２３はまた、粘着性を有する粘着部材２３１を設けることもでき、図２Ａに示されるように、前記粘着性を有する粘着部材２３１は鍵把持部１３と前記施錠確認部２を結合することができる。続いて図４に示されるように、前記施錠確認部２は前記鍵１２と結合することができる。続いて図４Ａに示されるように、鍵１２が錠前面７に挿入された直後、前記第１のお知らせ装置３は錠前面７に当接する。
続いて図４Ｂ、図４Ｃに示されるように、前記鍵１２の全てが錠前面７に挿入された後、前記第１のお知らせ装置３は前記施錠確認部２の前記第１の溝２２内にスライド進入し、かつ前記連接棒４が前記第２のお知らせ装置６を錠前面７に貼り付かせるため、前記第２のお知らせ装置６の凸リブ６２がバネ６４を内側に圧縮して前記筒体６１内に収縮進入させる。続いて図４Ｄ、図４Ｅに示されるように、施錠完了後、前記鍵１２を抜き出すと、このときに、前記第１のお知らせ装置３はまだ第１の溝２２内に維持されており、前記の元々錠前面７に貼り付いて前記凸リブ６２が圧縮していたバネ６４も復活して外へ弾き出て、前記凸リブ６２を前記第２のお知らせ装置６の筒体６１外に押し出し、前記第２のお知らせ装置６の凸リブ６２が突出することにより、ユーザーに施錠完了を知らせることができる。
続いて図４Ｆに示されるように、前記歯車５を回転させると、前記同心歯車５１と第１のお知らせ装置３の鋸歯部３２が噛み合うとともに、第１のお知らせ装置３、連接棒４は第２のお知らせ装置６と連動するため、第１のお知らせ装置３、第２のお知らせ装置６が開始位置に復帰でき、これによりユーザーは帰宅した際に再び復帰させて使用できるようになる。
【００３８】
本考案の施錠確認装置が鍵と結合することにより、ユーザーは施錠時に第１のお知らせ装置及び第２のお知らせ装置を動作させることができ、これによりユーザーは第１のお知らせ装置又は第２のお知らせ装置の状態を観察して施錠したかどうかを確認でき、また前記歯車と同心歯車の連動により、施錠確認装置をリセットできる機能を実現する。
【００３９】
以上説明した内容は本考案の好ましい実施例に過ぎず、本考案の実施の範囲を限定するものではない。したがって、本考案の精神と範疇から逸脱しない同等の形状や構造又は組合せの変更もみな本考案出願の権利範囲に含まれるものと理解されるべきである。
【符号の説明】
【００４０】
Ａ  ドアパネル
１  シリンダー
１１  鍵穴
１２  鍵
１３  鍵把持部
２  施錠確認部
２１  軸接部
２２  第１の溝
２３  結合部
２３１  粘着性を有する粘着部材
２４  第２の溝
３  第１のお知らせ装置
３１  第１の軸接部
３２  鋸歯部
４  連接棒
４１  第１の軸接孔
４２  第２の軸接孔
５  歯車
５１  同心歯車
６  第２のお知らせ装置
６１  筒体
６２  凸リブ
６３  第２の軸接部
６４  バネ
６５  係止縁
６６  フランジ
７  錠前面
【図１】
0003226727.tif 000003
【図２】
0003226727.tif 000004
【図２Ａ】
0003226727.tif 000005
【図３】
0003226727.tif 000006
【図３Ａ】
0003226727.tif 000007
【図３Ｂ】
0003226727.tif 000008
【図３Ｃ】
0003226727.tif 000009
【図４】
0003226727.tif 000010
【図４Ａ】
0003226727.tif 000011
【図４Ｂ】
0003226727.tif 000012
【図４Ｃ】
0003226727.tif 000013
【図４Ｄ】
0003226727.tif 000014
【図４Ｅ】
0003226727.tif 000015
【図４Ｆ】
0003226727.tif 000016
【図５】
0003226727.tif 000017
【手続補正書】
【提出日】令和1年11月19日(2019.11.19)
【手続補正１】
【補正対象書類名】実用新案登録請求の範囲
【補正対象項目名】全文
【補正方法】変更
【補正の内容】
【実用新案登録請求の範囲】
【請求項１】
結合部と、第１の溝とが設けられる施錠確認部と、
第１の溝内に設けられ、さらに一方に鋸歯部が設けられる第１のお知らせ装置と、
前記第１のお知らせ装置の鋸歯部と噛合される同心歯車が設けられる歯車と、を備える施錠確認装置。
【請求項２】
前記結合部は収容空間である、請求項１に記載の施錠確認装置。
【請求項３】
前記結合部は粘着性を有する粘着部材である、請求項１に記載の施錠確認装置。
【請求項４】
前記施錠確認装置に軸接部が設けられる、請求項１に記載の施錠確認装置。
【請求項５】
前記第１のお知らせ装置に第１の軸接部が設けられる、請求項１に記載の施錠確認装置。
【請求項６】
前記軸接部に連接棒が設けられる、請求項４に記載の施錠確認装置。
【請求項７】
前記連接棒に第１の軸接孔が設けられ、前記第１の軸接孔は前記第１の軸接部と軸接されるものである、請求項６に記載の施錠確認装置。
【請求項８】
前記第１の軸接孔は楕円形である、請求項７に記載の施錠確認装置。
【請求項９】
結合部と、軸接部と、第１の溝と、第２の溝とが設けられる施錠確認部と、
第１の溝内に設けられ、第１の軸接部が設けられ、一方に鋸歯部が設けられる第１のお知らせ装置と、
第２の溝内に設けられ、第２の軸接部が設けられる第２のお知らせ装置と、
軸接部と軸接され、さらに第１の軸接孔と、第２の軸接孔とが設けられる連接棒と、
前記第１のお知らせ装置の鋸歯部と噛合される同心歯車が設けられる歯車と、を備える施錠確認装置。
【請求項１０】
前記結合部は収容空間である、請求項９に記載の施錠確認装置。
【請求項１１】
前記結合部は粘着性を有する粘着部材である、請求項９に記載の施錠確認装置。
【請求項１２】
前記第１の軸接孔は楕円形である、請求項９に記載の施錠確認装置。
【請求項１３】
前記第２のお知らせ装置は筒体と、バネと、凸リブとを備える、請求項９に記載の施錠確認装置。
【請求項１４】
前記筒体に係止縁が設けられる、請求項１３に記載の施錠確認装置。
【請求項１５】
前記凸リブにフランジが設けられる、請求項１３に記載の施錠確認装置。
【手続補正書】
【提出日】令和2年4月6日(2020.4.6)
【手続補正１】
【補正対象書類名】実用新案登録請求の範囲
【補正対象項目名】全文
【補正方法】変更
【補正の内容】
【実用新案登録請求の範囲】
【請求項１】
結合部と、第１の溝とが設けられる施錠確認部と、
第１の溝内に設けられ、さらに一方に鋸歯部が設けられる第１のお知らせ装置と、
前記第１のお知らせ装置の鋸歯部と噛合される同心歯車が設けられる歯車と、を備える施錠確認装置。
【請求項２】
前記結合部は収容空間である、請求項１に記載の施錠確認装置。
【請求項３】
前記結合部は粘着性を有する粘着部材である、請求項１に記載の施錠確認装置。
【請求項４】
前記施錠確認装置に軸接部が設けられる、請求項１に記載の施錠確認装置。
【請求項５】
前記第１のお知らせ装置に第１の軸接部が設けられる、請求項１に記載の施錠確認装置。
【請求項６】
前記軸接部に連接棒が設けられる、請求項４に記載の施錠確認装置。
【請求項７】
前記連接棒に第１の軸接孔が設けられ、前期第１の軸接孔は前記第１の軸接部と軸接されるものである、請求項５に記載の施錠確認装置。
【請求項８】
前第１の軸接孔は楕円形である、請求項７に記載の施錠確認装置。
【請求項９】
結合部と、軸接部と、第１の溝と、第２の溝とが設けられる施錠確認部と、
第１の溝内に設けられ、第１の軸接部が設けられ、一方に鋸歯部が設けられる第１のお知らせ装置と、
第２の溝内に設けられ、第２の軸接部が設けられる第２のお知らせ装置と、
軸接部と軸接され、さらに第１の軸接孔と、第２の軸接孔とが設けられる連接棒と、
前記第１のお知らせ装置の鋸歯部と噛合される同心歯車が設けられる歯車と、を備える施錠確認装置。
【請求項１０】
前記結合部は収容空間である、請求項９に記載の施錠確認装置。
【請求項１１】
前記結合部は粘着性を有する粘着部材である、請求項９に記載の施錠確認装置。
【請求項１２】
前第１の軸接孔は楕円形である、請求項９に記載の施錠確認装置。
【請求項１３】
前記第２のお知らせ装置は筒体と、バネと、凸リブとを備える、請求項９に記載の施錠確認装置。
【請求項１４】
前記筒体に係止縁が設けられる、請求項１３に記載の施錠確認装置。
【請求項１５】
前記凸リブにフランジが設けられる、請求項１３に記載の施錠確認装置。